(57)【要約】【課題】バッグ本体内に収容するクラブの種類乃至本数の如何により、仕切り部で仕切られる収容口の大きさを自由に変更することの出来るゴルフバッグを提供する。【解決手段】バッグ本体の開口部に、この開口部を複数の収容口に仕切るための縦側仕切り体と横側仕切り体とから成る仕切り部材が設けられているゴルフバッグにおいて、バッグ本体に対する横側仕切り体の取り付け位置を変更可能とする位置変更許容手段が設けられ、この位置変更許容手段による横側仕切り体の取り付け位置の変更により、収容口の大きさを任意変更可能とした。【選択図】　図３
2004081297.tif 000002
【特許請求の範囲】
【請求項１】
バッグ本体の開口部に、この開口部を複数の収容口に仕切るための仕切り部材が設けられているゴルフバッグにおいて、
バッグ本体に対する仕切り部材の取り付け位置を変更可能とする位置変更許容手段が設けられ、この位置変更許容手段による仕切り部材の取り付け位置の変更により、収容口の大きさを変更可能としたことを特徴とするゴルフバッグ。
【発明の詳細な説明】
【０００１】
【産業上の利用分野】
本発明は、主としてゴルフのクラブを収容して持ち運びするためのゴルフバッグに関する。
【０００２】
【従来の技術】
一般にゴルフバッグは、ウッドやアイアンあるいはパターなどの複数本のクラブがバッグ内に収容されるものであって、そのため、従来のゴルフバッグにあっては、例えば実用新案登録第３０８６５２９号の登録公報にも開示されているように、バッグ本体の開口部に、この開口部を複数の収容口に仕切るための仕切り部材が組みつけられ、例えばクラブを種類毎に分けて、各種類のクラブを各収容口からバッグ本体内に収容するようにしている。
【０００３】
【発明が解決しようとする課題】
ところで、以上のゴルフバッグの利用者にあっては、使用するクラブの種類並びに種類毎の本数が個人によりそれぞれ異なるものであるが、前記した従来のゴルフバッグは収容口が常に均一な大きさであって、この収容口の大きさを任意変更することが出来ないものである。
【０００４】
そのため以上のゴルフバッグでは、場合によっては各収容口に種類毎に分けた所望の本数のクラブを自由に収容することが出来なくなる不具合が生じる。
【０００５】
本発明は以上の実情に鑑みて開発されたものであって、目的とするところは、バッグ本体内に収容するクラブの種類乃至本数の如何により、仕切り部で仕切られる収容口の大きさを自由に変更することの出来るゴルフバッグを提供することにある。
【０００６】
【課題を解決するための手段】
前記した目的を達成するために、請求項１の発明は、バッグ本体の開口部に、この開口部を複数の収容口に仕切るための仕切り部材が設けられているゴルフバッグにおいて、バッグ本体に対する仕切り部材の取り付け位置を変更可能とする位置変更許容手段が設けられ、この位置変更許容手段による仕切り部材の取り付け位置の変更により、収容口の大きさを変更可能としたことを特徴とするものである。
【０００７】
【発明の実施の形態】
次に本発明にかかるゴルフバッグに適用した実施形態を説明する。
【０００８】
図において符号１で示すゴルフバッグは、筒状のバッグ本体２と、このバッグ本体２の下端部に組み付けられてゴルフバッグ１の底を画成する有底筒状の底筒３とが備えられている。
【０００９】
バッグ本体２は、硬質の合成樹脂材料から形成された略円筒状のベース部材２ａと、このベース部材２ａの表面を覆う布製のカバー部材２ｂとから構成されている。
【００１０】
バッグ本体２の前面側には、ハンガーグリップ２１が取り付けられ、このハンガーグリップ２１よりも下方には、主としてゴルフボールを収容するためのフロントポケット２２が設けられ、バッグ本体２の背面側には、主としてゴルフシューズを収容するためのリヤポケット２３が設けられている。
【００１１】
またバッグ本体２の背面側上部には、取っ手４が設けられており、この取っ手４は、図２にも示すように、左右一対の支持杆４１と、これら両支持杆４１の上端を連結する握り部４２とから構成されている。
【００１２】
支持杆４１は、バッグ本体２の背面側上部に組み付けた左右一対の収容パイプ２４に対して所定長さ出退自由となっており、取っ手４の使用に際しては、支持杆４１を収容パイプ２４から所定長さ引き出して用い、取っ手４の不使用時には、支持杆４１を収容パイプ２４内に格納するようにしている。
【００１３】
底筒３は、硬質の合成樹脂材料から形成されたものであって、その底部分には、車輪３０が回転自由に支持されている。
【００１４】
また以上の構成からなるゴルフバッグにおいて、バッグ本体２の開口部２０には、この開口部２０を複数の収容口Ｐに仕切るための仕切り部材５が設けられているのであって、本発明は、バッグ本体２に対する前記仕切り部材５の取り付け位置を変更可能とする位置変更許容手段６を設けて、この位置変更許容手段６による仕切り部材５の取り付け位置の変更により、収容口Ｐの大きさを適宜変更可能としたのである。
【００１５】
即ち、図に示す実施形態では、仕切り部材５を、図３にも示すように、開口部２０の中央を前後方向に縦断する縦側仕切り体５ａと、この縦側仕切り体５ａに対して直交状に交差する一対の横側仕切り体５ｂ・５ｃとから構成している。
【００１６】
縦側仕切り体５ａは、図５にも示すように、硬質の合成樹脂材料から形成された円筒状の外筒５１と、この外筒５１内に挿入可能な内筒５２と、外筒５１と内筒５２との間に介装されて、内筒５２を外筒５１に対して離間する方向に付勢させるスプリング５３とから構成され、この縦側仕切り体５ａは、その長さ方向両端部をバッグ本体２におけるベース部材２ａの内面に形成した凹所２５若しくは横側仕切り体５ｂ・５ｃに組み付けた保持片５０の凹所５０ａに嵌め込むことで、バッグ本体２の開口部２０に組み付けるようにしている。
【００１７】
また横側仕切り体５ｂ・５ｃにあっても、図６及び図７にも示すように、外筒５４と、この外筒５４内に挿入可能な内筒５５とから形成され、この横側仕切り体５ｂ・５ｃのバッグ本体２に対する取り付け位置を、後記の位置変更許容手段６を介して変更可能としている。
【００１８】
図に示す横側仕切り体５ｂ・５ｃを構成する外筒５４には、保持片５０を保持するための保持枠５４ａが一体形成されている。
【００１９】
保持枠５４ａに保持される保持片５０は、図１０及び図１１に示すように、縦側仕切り体５ａの長さ方向一端部を受け止めるためのものであって、正面視略正方形のプレート状に形成されている。
【００２０】
位置変更許容手段６は、バッグ本体２に組付けられる支持部材７と、横側仕切り体５ｂ・５ｃに組み込まれたスプリング部材８とから構成されている。
【００２１】
支持部材７は、図８及び図９にも示すように、硬質の合成樹脂材料から細幅の板状に形成され、その側面には正面視正方形とした複数の係合穴７１が並んで設けられているのであって、以上の支持部材７は、バッグ本体２を構成するベース部材２ａの内側面に固定されている。
【００２２】
スプリング部材８はコイルスプリングから構成され、このスプリング部材８は、横側仕切り体５ｂ・５ｃを構成する外筒５４と内筒５５との間に介装することで、このスプリング８のばね力により、内筒５５を外筒５４に対して離間する方向に付勢させるようにしている。
【００２３】
また図に示す実施形態において、図７にも示すように、外筒５４には軸方向に延びるスリット５６が開設され、内筒５５には径方向外方に延びる突起５７が突設され、この突起５７を前述のスリット５６内に介入させることで、内筒５５が外筒５４に対して回転するのを阻止している。
【００２４】
また内筒５５の長さ方向一端側には径方向外方に延びる操作片５５ａが設けられ、この操作片５７の操作により、内筒５５を外筒５４に対して所定ストローク、具体的にはスリット５６の全長とほぼ同じ長さスライド操作させられるようにしている。
【００２５】
また図６において１０は、バッグ本体２内を仕切るための帯状に形成されたセパレータであって、このセパレータ１０の長さ方向両端部には、横側仕切り体５ｂ・５ｃを包む布製の包持部材１１が縫い付けられ、この包持部材１１で横側仕切り体５ｂ・５ｃを包むことにより、セパレータ１０の長さ方向両端部を包持部材１１を介して横側仕切り体５ｂ・５ｃに吊り掛けるようにしている。
【００２６】
斯くして、以上の構成から成るゴルフバッグ１にあっては、支持部材７に対する横側仕切り体５ｂ・５ｃの取り付け位置を任意変更することで、縦側仕切り体５ａ及び横側仕切り体５ｂ・５ｃにより仕切られる収容口Ｐの大きさを適宜調整することが出来るのであって、例えば一方の横側仕切り体５ｂの位置を調整する場合には、先ずその横側仕切り体５ｂから包持部材１１を取り外す。
【００２７】
続いて、操作片５５ａの操作により、スプリング８に坑して内筒５５を外筒５４内に退入する方向にスライドさせて、横側仕切り体５ｂの全長を短くすることで、この横側仕切り体５ｂの長さ方向両端部を支持部材７の係合穴７１から離脱させ、しかる後、所望の係合穴７１に横側仕切り体５ｂの長さ方向両端部を再度係合させるのである。
【００２８】
斯くして、係合穴７１への横側仕切り体５ｂの係合時にあっては、スプリング部材８のバネ力により、横側仕切り体５ｂの両端、換言すれば内筒５２及び外筒５１がそれぞれ係合穴７１に弾性的に圧接し、横側仕切り体５ｂをバッグ本体２にワンタッチでしかも確実に組み付けることが出来る。
【００２９】
また以上の構成から成るゴルフバッグ１では、縦側仕切り体５ａの長さ方向一端部の係止位置を、図４に示すバッグ本体２の内面から例えば図１０に示すように横側仕切り体の一つ５ｃに変更することが出来るのであって、この場合、図１１に示すように、横側仕切り体５ｃの保持枠５４ａに保持片５０を組み付けた後、内筒５５を外筒５４内に更に退入させて、保持片５０の凹所５０ａに縦側仕切り体５ａの長さ方向一端部を嵌合させればよいのである。
【００３０】
以上の実施形態では、内筒５５の長さ方向一端部に操作片５５ａを突設して、この操作片５７の操作により、内筒５５を外筒５４に対して所定ストロークスライド操作させられるようにしたが、これに限定されるものではなく、例えば図１２及び図１３に示すように、外筒５４に一対の貫通孔５８ａ・５８ｂを形成すると共に、内筒５５の周壁に平面視Ｕ字状に開口するスリット５９を形成して、このスリット５９内の周壁部位を、内筒５５の略径方向に弾性変形可能となる操作片部５９０と成し、この操作片部５９０の先端部外面に突起５９１を一体形成してもよい。
【００３１】
斯くして以上の構造のものでは、スプリング８に抗して内筒５５を外筒５４に対してスライドさせて、突起５９１を一方の貫通穴５８ａに係合させることで、横側仕切り体５ｂ・５ｃの全長を短くした状態に維持することが出来、またこの状態から突起５９１を押して、貫通穴５８ａから突起を離脱させることにより、スプリング８のバネ力により、内筒５５を外筒５４に対して突出する方向にスライドさせ，突起５９１を他方の貫通穴５８ｂに係合させることにより、横側仕切り体５ｂ・５ｃの全長を長くした状態に維持され、且つそれ以上内筒５５が外筒５４に対して突出して外れるのも規制される。
【００３２】
また以上の実施形態では、２本の横側仕切り体５ｂ・５ｃを設けたが、これに限定されるものではなく、例えば図１４に示すように、横側仕切り体５０ｂ・５０ｃ・５０ｄを３本から構成すると共に、これら各横側仕切り体５０ｂ・５０ｃ・５０ｄを平面視弓状に湾曲させてもよい。
【００３３】
尚、図１４では、バッグ本体２を合成樹脂から成形したベース部材２０ａのみから形成して、このベース部材２０ａの内面を支持部材７０として利用し、この内面に複数の係合穴７１０を形成している。
【００３４】
また図１５に示す他の実施形態は、２本の横側仕切り体５ｂ・５ｃを一体化すると共に、これら横側仕切り体５ｂ・５ｃを構成する内筒５５を外筒５４の長さ方向両端部にそれぞれ装着し、その両内筒５５が対向する部位にスプリング８を介装するようにしたものである。
【００３５】
具体的には、両横側仕切り体５ｂ・５ｃを構成する外筒５４を連結杆５４０により所定間隔開けて連結すると共に、これら外筒５４の長さ方向両端部にそれぞれ装着する内筒５５の長さ方向一端側を連結杆５５０で連結し、これ連結杆５５０に、支持部材７の係合穴７１に係合可能な係合突起５５１を突設したものである。
【００３６】
以上の実施形態にあっても、スプリング８に坑して内筒５５を外筒５４内に退入する方向にスライドさせて、横側仕切り体５ｂ・５ｃの全長を短くすることで、係合突起５５１を支持部材７の係合穴７１から離脱させ、しかる後、所望の係合穴７１に係合突起５５１を再度係合させて、一体となっている横側仕切り体５ｂ・５ｃの設置位置を変更すれば、縦側仕切り体５ａ及び横側仕切り体５ｂ・５ｃにより仕切られる収容口Ｐの大きさを適宜調整することが出来る。
【００３７】
更に図１６から図１７に示す実施形態は、平面視枠状の横側仕切り体５ｄを形成して、この横側仕切り体５ｄをバッグ本体２の内面に設けたガイド部２６に沿って移動可能に設ける。
【００３８】
そして横側仕切り体５ｄにシャフト５１０を回転自由に支持して、このシャフト５１０の両端部にギヤ５１１と、操作部ノブ５１２を組み付け、ギ５１１をバッグ本体２に形成したラック５１３に噛み合わせ、操作ノブ５１２を介してギヤ５１１を回転させることで、横側仕切り体５ｄをガイドに沿って移動させるようにして、位置変更許容手段６を構成している。
【００３９】
斯くして以上の実施形態のものでは、操作ノブ５１２を回転操作するだけで、横側仕切り体５ｄの位置変更を簡単に行なうことが出来る。
【００４０】
また以上の各実施形態では、横側仕切り体５ｂ・５ｃを位置変更許容手段６により位置変更可能としたが、これに限定されるものではなく、例えば縦側仕切り体５ａを位置変更許容手段６により位置変更可能としてもよい。
【００４１】
【発明の効果】
以上のごとく請求項１に記載の発明によれば、バッグ本体の開口部に、この開口部を複数の収容口に仕切るための仕切り部材が設けられているゴルフバッグにおいて、バッグ本体に対する仕切り部材の取り付け位置を変更可能とする位置変更許容手段が設けられ、この位置変更許容手段による仕切り部材の取り付け位置の変更により、収容口の大きさを変更可能としたことにより、例えば、バッグ本体内に収容するクラブの種類乃至本数などの如何により、仕切り部で仕切られる収容口の大きさを適宜変更することで、仕切り部材で仕切られた収容口に例えば種類毎に分けた所望の本数のクラブを自由に収容することが出来るに至ったのである。
【図面の簡単な説明】
【図１】本発明にかかるバッグの一実施形態を示す正面図。
【図２】同、側面図。
【図３】バッグ本体の開口部位の拡大断面図。
【図４】横側仕切り体の位置を変更したバッグ本体の開口部位の拡大断面図。
【図５】縦側仕切り体の断面図。
【図６】横側仕切り体の側面図。
【図７】横側仕切り体の断面図。
【図８】支持部材の側面図。
【図９】支持部材の断面図。
【図１０】縦側仕切り体の取り付け状態を変更したバッグ本体の開口部位の拡大断面図。
【図１１】縦側仕切り体と横側仕切り体の概略説明図。
【図１２】横側仕切り体の別の実施形態を示す断面図
【図１３】別の実施形態の横側仕切り体を構成する内筒の平面図。
【図１４】バッグ本体の開口部位の別の実施形態を示す拡大断面図。
【図１５】バッグ本体の開口部位の別の実施形態を示す拡大断面図。
【図１６】バッグ本体の開口部位の別の実施形態を示す拡大断面図。
【図１７】図１６に示すバッグ本体の要部を拡大して示す説明図。
【符号の説明】
１　　　ゴルフバッグ
２　　　バッグ本体
２０　　開口部
３　　　底筒
４　　　取っ手
５　　　仕切り部材
５ａ　　縦側仕切り体
５ｂ・５ｃ　横側仕切り体
６　　　位置変更手段
７　　　支持部材
８　　　スプリング
Ｐ　　　収容口
【図１】
2004081297.tif 000003
【図２】
2004081297.tif 000004
【図３】
2004081297.tif 000005
【図４】
2004081297.tif 000006
【図５】
2004081297.tif 000007
【図６】
2004081297.tif 000008
【図７】
2004081297.tif 000009
【図８】
2004081297.tif 000010
【図９】
2004081297.tif 000011
【図１０】
2004081297.tif 000012
【図１１】
2004081297.tif 000013
【図１２】
2004081297.tif 000014
【図１３】
2004081297.tif 000015
【図１４】
2004081297.tif 000016
【図１５】
2004081297.tif 000017
【図１６】
2004081297.tif 000018
【図１７】
2004081297.tif 000019